(57)【要約】【課題】平面型表示パネルの外形寸法が大きくなっても画像表示面と交差する方向の衝撃力で上記方向における上記表面の撓みが大きくなり破損するのを防止させ、しかも構造が簡易で材料コスト及び組立コストを増大させない、表示装置を提供することである。【解決手段】この表示装置１０は：画像表示面１２ａと、画像表示面が向いている方向と交差しており相互に反対の方向を向いている少なくとも２つの縁１２ｂと、これら少なくとも２つの縁の夫々の全体に亘り前記少なくとも２つの縁の夫々と一体的に設けられた支持部１２ｄと、を含む平面型表示パネル１２と；平面型表示パネルの少なくとも２つの縁の夫々の前記支持部を前記支持部の全体に亘り、前記平面型表示パネルの画像表示面が向いている方向に沿い、夫々が支持し固定する少なくとも２つの固定部１４ｄ又は１４ｇを含むハウジング１４と；を備えたことを特徴としている。【選択図】      図６
2007163965.tif 000002
【特許請求の範囲】
【請求項１】
画像を表示する表面と、画像を表示する表面が向いている方向と交差しており相互に反対の方向を向いている少なくとも２つの縁と、これら少なくとも２つの縁の夫々の全体に亘り前記少なくとも２つの縁の夫々と一体的に設けられた支持部と、を含む平面型表示パネルと；
前記平面型表示パネルの前記少なくとも２つの縁の夫々の前記支持部を前記支持部の全体に亘り、前記平面型表示パネルの画像を表示する前記表面が向いている方向に沿い、夫々が支持し固定する少なくとも２つの固定部を含むハウジングと；
を備えたことを特徴とする、表示装置。
【請求項２】
前記平面型表示パネルは、前記少なくとも２つの縁を含み画像を表示する表面が向いている方向と交差している複数の縁と、前記少なくとも２つの縁以外の少なくとも１つの縁と一体的に設けられた支持部と、を含んでおり、
前記ハウジングは、前記平面型表示パネルの前記少なくとも１つの縁の前記支持部をこの前記支持部の全体に亘り、前記平面型表示パネルの画像を表示する前記表面が向いている方向に沿い、支持し固定する少なくとも１つの固定部を含む、
ことを特徴とする請求項１に記載の表示装置。
【請求項３】
画像を表示する表面と、画像を表示する表面が向いている方向と交差しており相互に反対の方向を向いている少なくとも２つの縁と、これら少なくとも２つの縁の夫々の長さの７０％以上に亘り前記少なくとも２つの縁の夫々と一体的に設けられた支持部と、を含む平面型表示パネルと；
前記平面型表示パネルの前記少なくとも２つの縁の夫々の前記支持部を前記支持部の全体に亘り、前記平面型表示パネルの画像を表示する前記表面が向いている方向に沿い、夫々が支持し固定する少なくとも２つの固定部を含むハウジングと；
を備えたことを特徴とする、表示装置。
【請求項４】
前記平面型表示パネルは、前記少なくとも２つの縁を含み画像を表示する表面が向いている方向と交差している複数の縁と、前記少なくとも２つの縁以外の少なくとも１つの縁の長さの７０％以上に亘り前記少なくとも１つの縁と一体的に設けられた支持部と、を含んでおり、
前記ハウジングは、前記平面型表示パネルの前記少なくとも１つの縁の前記支持部をこの前記支持部の全体に亘り、前記平面型表示パネルの画像を表示する前記表面が向いている方向に沿い、支持し固定する少なくとも１つの固定部を含む、
ことを特徴とする請求項３に記載の表示装置。
【請求項５】
前記平面型表示パネルの前記支持部の少なくとも１つと前記ハウジングの前記固定部の少なくとも１つの両方が、対応する縁に沿った方向に少なくとも３つ以上に分割されている、ことを特徴とする請求項１乃至４のいずれか１項に記載の表示装置。
【請求項６】
前記平面型表示パネルの前記支持部の少なくとも１つと前記ハウジングの前記固定部の少なくとも１つの両方が、対応する縁に沿った方向に連続している、ことを特徴とする請求項１乃至４のいずれか１項に記載の表示装置。
【請求項７】
前記平面型表示パネルの前記支持部の少なくとも１つと前記ハウジングの前記固定部の少なくとも１つの一方が、対応する縁に沿った方向に少なくとも３つ以上に分割されており、
前記平面型表示パネルの前記支持部の少なくとも１つと前記ハウジングの前記固定部の少なくとも１つの他方が、対応する縁に沿った方向に連続している、ことを特徴とする請求項１乃至４のいずれか１項に記載の表示装置。
【請求項８】
前記ハウジングの前記固定部は、前記平面型表示パネルの対応する前記支持部において前記平面型表示パネルの前記表面及び前記表面とは反対を向いている裏面の少なくとも一方と同じ方向を向いている表面を対応する縁の全体に亘り支持する、
ことを特徴とする請求項１乃至７のいずれか１項に記載の表示装置。
【請求項９】
前記ハウジングの前記固定部は、前記平面型表示パネルの前記支持部において前記平面型表示パネルの前記表面及び前記表面とは反対を向いている裏面と同じ方向を向いている２つの表面を対応する縁の全体に亘り支持する、
ことを特徴とする請求項１乃至７のいずれか１項に記載の表示装置。
【請求項１０】
前記平面型表示パネルの前記支持部は、前記平面型表示パネルの前記表面と前記表面とは反対を向いている裏面との間で対応する縁の夫々から外方に向かい張り出している、
ことを特徴とする請求項１乃至９のいずれか１項に記載の表示装置。
【請求項１１】
前記平面型表示パネルの前記縁及び前記支持部の少なくともいずれか一方は、前記平面型表示パネルの前記表面に沿った方向において緩衝材を介し前記ハウジングの前記固定部により支持されている、ことを特徴とする請求項１乃至１０のいずれか１項に記載の表示装置。
【発明の詳細な説明】
【技術分野】
【０００１】
この発明は、平面型表示パネルと平面型表示パネルの為のハウジングとを備えた表示装置に関係している。
【背景技術】
【０００２】
このような表示装置は携帯型情報端末において広く使用されている。携帯型情報端末は使用者が落下させる可能性がある。携帯型情報端末が落下されたときには、携帯型情報端末に大きな衝撃力が加わる。
【０００３】
携帯型情報端末の表示装置の平面型表示パネルにおいて画像を表示する表面は、その外形寸法が小さければこのような衝撃力に耐えることが出来る。しかし、平面型表示パネルの画像を表示する表面は、その外形寸法が大きくなればなるほど平面型表示パネルの画像を表示する表面に対し交差する方向に加えられた衝撃力により上記方向における撓みが大きくなり、この撓みにより破損し易くなる。
【０００４】
このように外形寸法が大きな平面型表示パネルを備えた携帯情報端末としては例えばノートブック型パソコンが広く知られている。
【０００５】
特開２００１−第１８３６３４号公報には、平面型表示パネルが緩衝部材を介してハウジングにより支持されている表示装置が提案されている。
【特許文献１】特開２００１−第１８３６３４号公報
【発明の開示】
【発明が解決しようとする課題】
【０００６】
しかしながら、特開２００１−第１８３６３４号公報に記載の表示装置でも、平面型表示パネルの外形寸法が大きくなるに従い平面型表示パネルの画像を表示する表面に対し交差する方向に加えられた衝撃力により上記方向における上記表面の撓みが大きくなるのを緩衝部材によって防止することが難しくなり、この撓みにより破損する可能性が生じている。しかも、緩衝部材の使用は、表示装置の材料コスト及び組立コストを増大させている。
【０００７】
この発明は上記事情の下でなされ、この発明の目的は、平面型表示パネルの外形寸法が大きくなっても平面型表示パネルの画像を表示する表面に対し交差する方向に加えられた衝撃力により上記方向における上記表面の撓みが大きくなるのを効果的に防止してこの撓みにより破損する可能性を大きく低下させ、しかも簡易な構造により表示装置の材料コスト及び組立コストを増大させることもない、表示装置を提供することである。
【課題を解決するための手段】
【０００８】
上述したこの発明の目的を達成するために、この発明に従った表示装置は：画像を表示する表面と、画像を表示する表面が向いている方向と交差しており相互に反対の方向を向いている少なくとも２つの縁と、これら少なくとも２つの縁の夫々の全体に亘り前記少なくとも２つの縁の夫々と一体的に設けられた支持部と、を含む平面型表示パネルと；前記平面型表示パネルの前記少なくとも２つの縁の夫々の前記支持部を前記支持部の全体に亘り、前記平面型表示パネルの画像を表示する前記表面が向いている方向に沿い、夫々が支持し固定する少なくとも２つの固定部を含むハウジングと；を備えたことを特徴としている。
【０００９】
上述したこの発明の目的を達成するために、この発明に従った表示装置はまた：画像を表示する表面と、画像を表示する表面が向いている方向と交差しており相互に反対の方向を向いている少なくとも２つの縁と、これら少なくとも２つの縁の夫々の長さの７０％以上に亘り前記少なくとも２つの縁の夫々と一体的に設けられた支持部と、を含む平面型表示パネルと；前記平面型表示パネルの前記少なくとも２つの縁の夫々の前記支持部を前記支持部の全体に亘り、前記平面型表示パネルの画像を表示する前記表面が向いている方向に沿い、夫々が支持し固定する少なくとも２つの固定部を含むハウジングと；を備えたことを特徴としている。
【発明の効果】
【００１０】
この発明に従った前記前者の表示装置では、平面型表示パネルにおいて画像を表示する表面が向いている方向と交差しており相互に反対の方向を向いている少なくとも２つの縁の夫々の全体に亘り前記少なくとも２つの縁の夫々と一体的に支持部が設けられている。そして、前記平面型表示パネルの前記少なくとも２つの縁の夫々の前記支持部が、ハウジングの固定部により前記支持部の全体に亘り前記平面型表示パネルの画像を表示する前記表面が向いている方向に沿い支持され固定される。
【００１１】
また、この発明に従った前記後者の表示装置では、平面型表示パネルにおいて画像を表示する表面が向いている方向と交差しており相互に反対の方向を向いている少なくとも２つの縁の夫々の長さの７０％以上に亘り前記少なくとも２つの縁の夫々と一体的に支持部が設けられている。そして、前記平面型表示パネルの前記少なくとも２つの縁の夫々の前記支持部が、ハウジングの固定部により前記支持部の全体に亘り前記平面型表示パネルの画像を表示する前記表面が向いている方向に沿い支持され固定される。
【００１２】
従って、この発明に従った前記前者及び前記後者の表示装置においては、平面型表示パネルの外形寸法が大きくなっても、前記平面型表示パネルの前記少なくとも２つの縁の夫々の全体或いは夫々の長さの７０％以上に亘る前記支持部が、ハウジングの少なくとも２つの固定部により前記支持部の全体に亘り前記平面型表示パネルの画像を表示する前記表面が向いている方向に沿い支持され固定されているので、平面型表示パネルの画像を表示する表面に対し交差する方向に衝撃力が加えられた場合に、上記方向における上記表面の撓みが効果的に防止され、この撓みによる破損の可能性を大きく低下させる。しかも、前記平面型表示パネルのこのような支持部及び前記ハウジングのこのような固定部は、構造が簡易であって表示装置の材料コスト及び組立コストを増大させることもない。
【発明を実施するための最良の形態】
【００１３】
［第１の実施の形態］
最初に、この発明の第１の実施の形態に従った表示装置１０を添付の図面中の図１乃至図６を参照しながら詳細に説明する。
【００１４】
図１は、この発明の第１の実施の形態に従った表示装置１０の外観が概略的に示されている。表示装置１０は、画像を表示する画像表示表面１２ａを含む平面型表示パネル１２と、平面型表示パネル１２を画像表示表面１２ａの所定の周辺部で囲まれた画面を残し覆うハウジング１４と、を備えている。
【００１５】
平面型表示パネル１２は、例えば液晶表示パネルやプラズマ表示パネル等が良く知られている。そして、この実施の形態の平面型表示パネル１２は平面形状が四角形であり、画像表示表面１２ａはガラスを主体に形成されている。
【００１６】
ハウジング１４は、平面型表示パネル１２における画像表示表面１２ａとは反対側の裏面及び画像表示表面１２ａと裏面とを結ぶ周縁を覆うハウジング本体１４ａと、ハウジング本体１４ａにより裏面及び周縁を覆われている平面型表示パネル１２の画像表示表面１２ａの所定の周辺部を覆うマスク１４ｂと、を含む。
【００１７】
図２は、平面型表示パネル１２の外観を概略的に示している。平面型表示パネル１２の周縁には、画像表示表面１２ａが向いている方向と交差しているとともに相互に反対の方向を向いている２つの縁１２ｂ，１２ｃが含まれる。２つの縁１２ｂ，１２ｃの夫々には、夫々の全体に亘り連続して延出している支持部１２ｄが一体的に設けられている。
【００１８】
支持部１２ｄは金属又は硬質合成樹脂により形成されていて、画像表示表面１２ａの周辺部において２つの縁１２ｂ，１２ｃに隣接した部分に例えば接着剤等の公知の固定手段により固定されており、そして、平面型表示パネル１２の画像表示表面１２ａと前記裏面との間で２つの縁１２ｂ，１２ｃの夫々から外方に向かい画像表示表面１２ａと平行に張り出している。
【００１９】
この実施の形態において、支持部１２ｄには対応する縁１２ｂ又は１２ｃの延出方向の両端部に位置決め／固定用孔１２ｅが形成されている。
【００２０】
図３は、ハウジング１４のハウジング本体１４ａの外観を概略的に示している。ハウジング本体１４ａにおいて平面型表示パネル１２の前記裏面に対面する底面１４ｃには、平面型表示パネル１２の２つの縁１２ｂ，１２ｃの支持部１２ｄにおいて平面型表示パネル１２の前記裏面と同じ方向を向いている裏面に対面し支持部１２ｄの延出方向と同じ方向に延出している平坦な頂面を有した２つの第１の固定部１４ｄが一体的に設けられている。
【００２１】
この実施の形態において、第１の固定部１４ｄはハウジング本体１４ａと同じ材料により一体成形されていて、上記材料は例えば硬質合成樹脂又はマグネシウム合金の如き軽金属である。
【００２２】
第１の固定部１４ｄの前記頂面において平面型表示パネル１２の２つの縁１２ｂ，１２ｃの対応する支持部１２ｄの延出方向における両端部にも、位置決め／固定用孔１４ｅが形成されている。
【００２３】
図４は、ハウジング１４のマスク１４ｂの外観を裏側から概略的に示している。マスク１４ｂにおいて平面型表示パネル１２の画像表示面１２ａの前述した所定の周辺部を覆う裏面１４ｆには、平面型表示パネル１２の２つの縁１２ｂ，１２ｃの支持部１２ｄにおいて平面型表示パネル１２の画像表示面１２ａと同じ方向を向いている表面に対面し支持部１２ｄの延出方向と同じ方向に延出している平坦な頂面を有した２つの第２の固定部１４ｇが一体的に設けられている。
【００２４】
この実施の形態において、第２の固定部１４ｇはマスク１４ｂと同じ材料により一体成形されていて、上記材料は例えば硬質合成樹脂又はマグネシウム合金の如き軽金属である。
【００２５】
次に上述した如く構成された表示装置１０の組み立てについて図５及び図６を参照しながら説明する。
【００２６】
平面型表示パネル１２は、２つの縁１２ｂ，１２ｃの２つの支持部１２ｄの前述した裏面が、ハウジング１４のハウジング本体１４ａの底面１４ｃの２つの第１の固定部１４ｄの平坦な頂面に載置される。次に、２つの支持部１２ｄの夫々の両端部の位置決め／固定用孔１２ｅに位置決め／固定ねじ１６を挿通させ、さらに位置決め／固定ねじ１６を２つの第１の固定部１４ｄの夫々の平坦な頂面の両端部の対応する位置決め／固定用孔１４ｅに羅合させる。この結果、２つの支持部１２ｄの前述した裏面が全体に亘り第１の固定部１４ｄの平坦な頂面に密着して、平面型表示パネル１２の画像表示面１２ａが向いている方向に沿い支持され固定される。
【００２７】
さらに、平面型表示パネル１２の画像表示面１２ａの前述した周辺部にマスク１４ｂが被せられる。この時に、マスク１４ｂの前述した裏面の２つの第２の固定部１４ｇの平坦な頂面が平面型表示パネル１２の２つの支持部１２ｄの前述した表面に全体に亘り接触する。
【００２８】
この接触をより緊密にする為に、この実施の形態では、マスク１４ｂの前述した裏面の２つの第２の固定部１４ｇの平坦な頂面において、２つの支持部１２ｄの夫々の両端部の位置決め／固定用孔１２ｅに挿通されている位置決め／固定ねじ１６の頭に対応する位置には、２つの支持部１２ｄの夫々の両端部の位置決め／固定用孔１２ｅに挿入されていて２つの支持部１２ｄの夫々の前述した表面から画像表示面１２ａの向いている方向に突出している対応した位置決め／固定ねじ１６の頭部を受け入れる凹所が形成されている。
【００２９】
しかし同じ目的を達成するために、マスク１４ｂの前述した裏面の２つの第２の固定部１４ｇの平坦な頂面に上述した凹所を形成する代わりに、２つの支持部１２ｄの夫々の両端部の位置決め／固定用孔１２ｅにそこに挿入される位置決め／固定ねじ１６の頭部を受け入れる座繰りを形成し、２つの支持部１２ｄの夫々の両端部の位置決め／固定用孔１２ｅに挿入されている位置決め／固定ねじ１６の頭部が２つの支持部１２ｄの夫々の前述した表面から画像表示面１２ａの向いている方向に突出しないようにすることも出来る。
【００３０】
この後、マスク１４ｂはハウジング本体１４ａに、公知の図示しない固定手段、例えば相互或いはいずれか一方を形成している材料の弾力性を利用したスナップ結合、或いは固定ねじ、により着脱可能に固定される。
【００３１】
従って、図６中に特に良く示されているように、ハウジング本体１４ａの２つの第１の支持部１４ｄの平坦な頂面とマスク１４ｂの２つの第２の支持部１４ｇの平坦な頂面とが、平面型表示パネル１２の２つの支持部１２ｄの夫々の前述した表面及び裏面を平面型表示パネル１２の２つの縁１２ｂ，１２ｃの夫々の全体に亘り密着し挟持することにより支持する。
【００３２】
上述した如く構成されている、この発明の第１の実施の形態に従った表示装置１０では、例えば表示装置１０が落下して表示装置１０に平面型表示パネル１２の画像表示面１２ａと交差する方向に大きな衝撃力が負荷されたとしても、この大きな衝撃力により上記方向における画像表示面１２ａの撓みが効果的に防止され、この撓みによる画像表示面１２ａの破損の可能性を大きく低下させる。しかも、平面型表示パネル１２のこのような支持部１２ａ及びハウジング１４のこのような第１及び第２の固定部１４ｄ，１４ｇは、構造が簡易であって表示装置１０の材料コスト及び組立コストを増大させることもない。
【００３３】
なお、この実施の形態では、マスク１４ｂが第２の固定部１４ｇを備えているが、マスク１４ｂに第２の固定部１４ｇを備える代わりに、ハウジング本体１４ａの第１の固定部１４ｄの平坦な頂面に両端部の位置決め／固定用孔１４ｅの間にさらに複数の位置決め／固定用孔１４ｅを形成するとともに平面型表示パネル１２の２つの支持部１２ｄの夫々に両端部の位置決め／固定用孔１２ｅの間にさらに複数の位置決め／固定用孔１２ｅを形成し、ハウジング本体１４ａの第１の固定部１４ｄの平坦な頂面のこれら複数の位置決め／固定用孔１４ｅ及び平面型表示パネル１２の２つの支持部１２ｄの夫々のこれら位置決め／固定用孔１２ｅに複数の位置決め／固定ねじ１６を挿通及び螺合させるようにしても良い。
【００３４】
この場合、平面型表示パネル１２の２つの支持部１２ｄがハウジング本体１４ａの２つの第１の固定部１４ｄの平坦な頂面に全体に亘り平面型表示パネル１２の画像表示表面１２ａの向いている方向に支持され固定されることになる。
【００３５】
さらに、ハウジング本体１４ａの２つの第１の固定部１４ｄの平坦な頂面に対する平面型表示パネル１２の２つの支持部１２ｄの固定は、接着剤によっても可能であり、接着剤は剥離剤を使用することにより容易に剥離可能になるものが好ましい。
【００３６】
またさらに、マスク１４ｂの２つの第２の固定部１４ｇの夫々を平面型表示パネル１２の２つの支持部１２ｄの夫々の延出方向に沿った複数の位置に形成した複数のスリットにより３個を含む３個以上の複数に分割しても良い。
【００３７】
［第２の実施の形態］
次に、この発明の第２の実施の形態に従った表示装置２０を図７を参照しながら説明する。第２の実施の形態に従った表示装置２０の構成部材の大部分は、図１乃至図６を参照しながら前述したこの発明の第１の実施の形態に従った表示装置１０の構成部材と同じである。従って、図７において第１の実施の形態に従った表示装置１０の構成部材と同じ第２の実施の形態に従った表示装置２０の構成部材には、第１の実施の形態に従った表示装置１０の同じ構成部材に付されている参照符号と同じ参照符号を添付し、このような構成部材についての詳細な説明は省略する。
【００３８】
第２の実施の形態に従った表示装置２０が第１の実施の形態に従った表示装置１０と異なっているのは、平面型表示パネル１２の２つの縁１２ｂ，１２ｃ及び支持部１２ｄの少なくともいずれか一方が、平面型表示パネル１２の画像表示面１２ａに沿った方向において緩衝材２２を介しハウジング１４の第１及び第２の固定部１４ｄ，１４ｇにより支持されていることである。緩衝材２２は、例えばエラストマーのように衝撃を緩衝する材料により形成されている。
【００３９】
このような緩衝材２２は、表示装置２０に対し平面型表示パネル１２の画像表示面１２ａに沿った方向に衝撃力が負荷された場合に、この衝撃力がハウジング１４の第１及び第２の固定部１４ｄ，１４ｇを介して平面型表示パネル１２の２つの縁１２ｂ，１２ｃ及び支持部１２ｄの少なくともいずれか一方に直接的に伝達されて、平面型表示パネル１２の２つの縁１２ｂ，１２ｃ及び支持部１２ｄの少なくともいずれか一方が損傷されるのを効果的に防止する。
【００４０】
［第３の実施の形態］
次に、この発明の第３の実施の形態に従った表示装置３０を図８を参照しながら説明する。第３の実施の形態に従った表示装置３０の構成部材の大部分は、図１乃至図６を参照しながら前述したこの発明の第１の実施の形態に従った表示装置１０の構成部材と同じである。従って、図８において第１の実施の形態に従った表示装置１０の構成部材と同じ第３の実施の形態に従った表示装置３０の構成部材には、第１の実施の形態に従った表示装置１０の同じ構成部材に付されている参照符号と同じ参照符号を添付し、このような構成部材についての詳細な説明は省略する。
【００４１】
第３の実施の形態に従った表示装置３０が第１の実施の形態に従った表示装置１０と異なっているのは、ハウジング１４のマスク１４ｂが第２の固定部１４ｇを備えておらず、平面型表示パネル１２の２つの支持部１２ｄの夫々が画像表示面１２ａの向いている方向及び前述した裏面の向いている方向の少なくともいずれか一方に突出し前述した２つの縁１２ｂ，１２ｃの夫々の延出方向に沿った２つの支持部１２ｄの夫々の全体に亘り延出しているフランジ１２ｆを備えていることである。
【００４２】
この実施の形態においてフランジ１２ｆは対応する支持部１２ｄと同じ材料で一体に形成されていて、対応する支持部１２ｄの対応する前述した縁１２ｂ，１２ｃからの張り出し端から前述した裏面の向いている方向に突出している。
【００４３】
このようなフランジ１２ｆは、対応する支持部１２ｄにおける前述した表面又は裏面の向いている方向の剛性を向上させる。そして、平面型表示パネル１２に画像表示面１２ａと交差する方向に衝撃力が負荷された場合、平面型表示パネル１２において２つの支持部１２ｄが設けられている前述した２つの縁１２ｂ，１２ｃから画像表示面１２ａを伴い画像表示面１２ａ及び前述した裏面の向いている方向に大きく撓むことをさらに効果的に抑止し、この撓みによる画像表示面１２ａの破損を更に効果的に防止する。
【００４４】
［第４の実施の形態］
次に、この発明の第４の実施の形態に従った表示装置４０を図９を参照しながら説明する。第４の実施の形態に従った表示装置４０の構成部材の大部分は、図１乃至図６を参照しながら前述したこの発明の第１の実施の形態に従った表示装置１０の構成部材と同じである。従って、図９において第１の実施の形態に従った表示装置１０の構成部材と同じ第４の実施の形態に従った表示装置４０の構成部材には、第１の実施の形態に従った表示装置１０の同じ構成部材に付されている参照符号と同じ参照符号を添付し、このような構成部材についての詳細な説明は省略する。
【００４５】
第４の実施の形態に従った表示装置４０が第１の実施の形態に従った表示装置１０と異なっているのは、ハウジング１４のハウジング本体１４ａの底面１４ｃに第１の固定部１４ｄが設けられていないとともにマスク１４ｂの前述した裏面に第２の固定部１４ｇが設けられておらず、その代わり、ハウジング本体１４ａにおいて平面型表示パネル１２の周縁に含まれる前述した２つの縁１２ｂ，１２ｃに対面している２つの縁に底面１４ｃの延出方向に沿い突出し平面型表示パネル１２の周縁に含まれる前述した２つの縁１２ｂ，１２ｃの延出方向に沿い前述した２つの縁１２ｂ，１２ｃと同じ長さに延出している棚式固定部１４ｈが設けられている。
【００４６】
棚式固定部１４ｈには、平面型表示パネル１２の２つの支持部１２ｄの夫々の厚さと同じ高さを有し平面型表示パネル１２の前述した２つの縁１２ｂ，１２ｃの延出方向に沿いこの延出方向の両端間を延出した支持部受け入れ溝１４ｉが形成されている。
【００４７】
さらにこの実施の形態では、平面型表示パネル１２の周縁において２つの支持部１２ｄが設けられている前述した２つの縁１２ｂ，１２ｃを結ぶ他の２つの縁の少なくとも一方に対応しているハウジング本体１４ａの周壁の一部が周壁の他の部分に対し着脱可能に構成されている。
【００４８】
そして、ハウジング１４ａの周壁の前記一部を前記他の部分から取り外した状態で前記周壁の前記一部に対応したハウジング本体１４ａの２つの棚式固定部１４ｈの夫々の一端に露出された支持部受け入れ溝１４ｉの一端から、平面型表示パネル１２の２つの支持部１２ｄを差し込み支持部受け入れ溝１４ｉ中にその他端まで挿入し、その後にハウジング１４ａの周壁の前記一部を前記他の部分に公知の固定手段により着脱可能に固定する。
【００４９】
この結果として、平面型表示パネル１２の２つの支持部１２ｄは、ハウジング本体１４ａの２つの棚式固定部１４ｈの支持部受け入れ溝１４ｉにより２つの支持部１２ｄの全体に亘り平面型表示パネル１２の画像表示面１２ａの向いている方向に沿い支持され固定される。
【００５０】
もちろんこの実施の形態においても、ハウジング本体１４ａの２つの棚式固定部１４ｈに対し平面型表示パネル１２の２つの支持部１２ｄを、図示しない例えば位置決め／固定ねじの如き着脱可能な従来の固定手段により、位置決めし固定することが出来る。この場合に使用する従来の固定手段は少なくとも１個で良い。
【００５１】
［第５の実施の形態］
次に、この発明の第５の実施の形態に従った表示装置５０を図１０を参照しながら説明する。第５の実施の形態に従った表示装置５０の構成部材の大部分は、図１乃至図６を参照しながら前述したこの発明の第１の実施の形態に従った表示装置１０の構成部材と同じである。従って、図１０において第１の実施の形態に従った表示装置１０の構成部材と同じ第５の実施の形態に従った表示装置５０の構成部材には、第１の実施の形態に従った表示装置１０の同じ構成部材に付されている参照符号と同じ参照符号を添付し、このような構成部材についての詳細な説明は省略する。
【００５２】
第５の実施の形態に従った表示装置５０が第１の実施の形態に従った表示装置１０と異なっているのは、ハウジング１４のマスク１４ｂに第２の固定部１４ｇが設けられておらず、代わりに、ハウジング本体１４ｄの２つの第１の固定部１４ｇの平坦な頂面に前述した裏面が載置され支持されている平面型表示パネル１２の２つの支持部１２ｄの前述した表面を、ハウジング本体１４ａの周壁において２つの支持部１２ｄに対応した２つの部分の内表面に沿うアングル固定部材１４ｊによりハウジング本体１４ｄの２つの第１の固定部１４ｇの平坦な頂面に押圧している。
【００５３】
アングル固定部材１４ｊは、ハウジング本体１４ａの周壁において２つの支持部１２ｄに対応した２つの部分の内表面に図示しない例えば固定ねじのような公知の固定手段により着脱可能に固定されるか、或いは図示しない例えば位置決め／固定ねじのような公知の位置決め／固定手段により平面型表示パネル１２の２つの支持部１２ｄとともにハウジング本体１４ｄの２つの第１の固定部１４ｇの平坦な頂面に対し位置決めされ固定される。
【００５４】
もちろん、アングル固定部材１４ｊは、ハウジング本体１４ａの周壁において２つの支持部１２ｄに対応した２つの部分の内表面に図示しない例えば固定ねじのような公知の固定手段により着脱可能に固定されるとともに、図示しない例えば位置決め／固定ねじのような公知の位置決め／固定手段により平面型表示パネル１２の２つの支持部１２ｄとともにハウジング本体１４ｄの２つの第１の固定部１４ｇの平坦な頂面に対し位置決めされ固定されることもできる。
【００５５】
［第６の実施の形態］
次に、この発明の第６の実施の形態に従った表示装置６０を図１１を参照しながら説明する。第６の実施の形態に従った表示装置６０の構成部材の大部分は、図１乃至図６を参照しながら前述したこの発明の第１の実施の形態に従った表示装置１０の構成部材と同じである。従って、図１１において第１の実施の形態に従った表示装置１０の構成部材と同じ第６の実施の形態に従った表示装置６０の構成部材には、第１の実施の形態に従った表示装置１０の同じ構成部材に付されている参照符号と同じ参照符号を添付し、このような構成部材についての詳細な説明は省略する。
【００５６】
第６の実施の形態に従った表示装置６０が第１の実施の形態に従った表示装置１０と異なっているのは、平面型表示パネル１２の前述した２つの縁１２ｂ，１２ｃに設けられている２つの支持部１２ｄの夫々が、平面型表示パネル１２の対応する２つの縁１２ｂ，１２ｃの夫々に沿った方向に少なくとも３つ以上に分割されていることである。
【００５７】
この実施の形態では、夫々の支持部材１２ｄの複数の分割片は、図１乃至図６を参照しながら前述した第１の実施の形態に従った表示装置１０の２つの支持部材１２ｄの場合と同様に、対応する２つの縁１２ｂ，１２ｃの夫々の延出方向における両端部に位置する夫々の支持部材１２ｄの複数の分割片の中の２つが、例えば位置決め／固定用ねじ１６の如き公知の位置決め／固定手段によりハウジング本体１４ｄの２つの第１の固定部１４ｇの平坦な頂面に対し位置決めされ固定される。
【００５８】
しかしながら、夫々の支持部材１２ｄの前述した複数の分割片の中の前述した両端部の２つの間の任意の数の分割片を、例えば位置決め／固定用ねじ１６の如き公知の位置決め／固定手段によりハウジング本体１４ｄの２つの第１の固定部１４ｄの平坦な頂面に対し位置決めし固定することも出来る。
【００５９】
いずれにしろ、この実施の形態でも、夫々が複数の分割片に分割されている２つの支持部１２ｄの夫々の全体が、ハウジング本体１４ｄの２つの第１の固定部１４ｇの平坦な頂面に対し位置決めされ固定される。
【００６０】
［第7の実施の形態］
次に、この発明の第7の実施の形態に従った表示装置７０を図１２を参照しながら説明する。第７の実施の形態に従った表示装置７０の構成部材の大部分は、図１乃至図６を参照しながら前述したこの発明の第１の実施の形態に従った表示装置１０の構成部材と同じである。従って、図１２において第１の実施の形態に従った表示装置１０の構成部材と同じ第７の実施の形態に従った表示装置７０の構成部材には、第１の実施の形態に従った表示装置１０の同じ構成部材に付されている参照符号と同じ参照符号を添付し、このような構成部材についての詳細な説明は省略する。
【００６１】
第７の実施の形態に従った表示装置７０が第１の実施の形態に従った表示装置１０と異なっているのは、ハウジング本体１４ａの底面１４ｃに平面型表示パネル１２の２つの支持部１２ｄの夫々に対応して設けられている２つの第１の固定部１４ｄの夫々が、平面型表示パネル１２の対応する２つの縁１２ｂ，１２ｃの夫々に沿った方向に少なくとも３つ以上に分割されていることである。
【００６２】
この実施の形態では、夫々の支持部材１２ｄが、図１乃至図６を参照しながら前述した第１の実施の形態に従った表示装置１０の２つの支持部材１２ｄの場合と同様に、対応する２つの縁１２ｂ，１２ｃの夫々の延出方向における両端部に位置する夫々の第１の固定部１４ｄの複数の分割片の中の２つの平坦な頂面に対し、例えば位置決め／固定用ねじ１６の如き公知の位置決め／固定手段により、位置決めされ固定されることが出来るし、或いは、図１２中に示されているように、夫々の第１の固定部１４ｄの前述した複数の分割片の中の前述した両端部の２つの間の任意の数の分割片の平坦な頂面に対し、例えば位置決め／固定用ねじ１６の如き公知の位置決め／固定手段により、位置決めされ固定されることも出来る。
【００６３】
いずれにしろ、この実施の形態でも、夫々が複数の分割片に分割されているハウジング本体１４ｄの２つの第１の固定部１４ｇの平坦な頂面に対し、２つの支持部１２ｄの夫々の全体が位置決めされ固定される。
【００６４】
［第８の実施の形態］
図には示されていないが、図１１中に示されている如く夫々が平面型表示パネル１２の対応する２つの縁１２ｂ，１２ｃの夫々に沿った方向に少なくとも３つ以上に分割されている平面型表示パネル１２の２つの支持部１２ｄの夫々の複数の分割片を、図１２中に示されている如く夫々が平面型表示パネル１２の対応する２つの縁１２ｂ，１２ｃの夫々に沿った方向に少なくとも３つ以上に分割されているハウジング本体１４ａの２つの第１の固定部１４ｄの夫々の複数の分割片の夫々の平坦な頂面に対し、例えば位置決め／固定用ねじ１６の如き公知の位置決め／固定手段により、位置決めされ固定されることも出来る。
【００６５】
［平面型表示パネル１２の２つの縁１２ｂ，１２ｃの夫々の長さに対する２つの支持部１２ｄの夫々の長さの割合を変化させた種々の場合と従来例における撓みの検証］
本願の発明者は、図１３中に示されている如く、平面型表示パネル１２の２つの縁１２ｂ，１２ｃの夫々の長さをＬ１とし、２つの支持部１２ｄの夫々の長さをＬ２とし、Ｌ１を実際の平面型表示パネルの２２８ｍｍとした時に、平面型表示パネル１２の２つの縁１２ｂ，１２ｃの夫々の長さＬ１に対する２つの支持部１２ｄの夫々の長さＬ２の割合を、１．０，０．８，０．６，そして０．４に変化させた場合と、図１４中に示されている如く平面型表示パネル１２の２つの縁１２ｂ，１２ｃに設けられている２つの支持部１２ｄの夫々が対応する縁１２ｂ又は１２ｃの両端部にのみ２つの支持片ＳＰを有していてＬ１／Ｌ２（Ｌ２は、２つの支持部１２ｄの夫々の２つの支持片ＳＰの夫々における対応する縁１２ｂ又は１２ｃの延出方向に沿った長さＬＳＰの合計）が０．２である従来例に、所定の衝撃力を平面型表示パネル１２の画像表示面１２ａに対し直角に交差する方向に負荷した（平面型表示パネル１２の全体に４．４ｍ／ｓの初速が負荷された後に２つの支持部１２ｄの夫々に初速とは逆方向の正弦波加速度１ｍｓｅｃ、最大値は８００Ｇを与えた）と仮定して、これら種々の場合と従来例とについて有限要素法により支持部１２ｄに生じる応力の値がどのように変化するかを検証した。
【００６６】
図１５は、図１４中に示されているＬ１／Ｌ２が０．２の従来例において、上述した所定の衝撃力により２つの支持部１２ｄの夫々の２つの支持片ＳＰに時間の経過とともに生じる応力の変化を有限要素法を使用して計算した結果が示されており、この場合の最大主応力は略２．７Ｋｇｆ／ｍｍ２となっている。
【００６７】
図１６は、前述したＬ１／Ｌ２が１．０，０．８，０．６，そして０．４の夫々の場合において、上述した所定の衝撃力により２つの支持部１２ｄの夫々に生じる最大主応力を有限要素法を使用して計算した結果が示されており、これら種々の場合にはＬ１／Ｌ２が０．７以下の場合に、図１４中に示されているＬ１／Ｌ２が０．２の従来例において上述した所定の衝撃力により２つの支持部１２ｄの夫々の２つの支持片ＳＰに生じる最大主応力である略２．７Ｋｇｆ／ｍｍ２以下となり、図１４に示されている従来例よりも平面型表示パネル１２の画像表示面１２ａに対し直角に交差する方向に同じ衝撃力が負荷された時に破損する確率が低下することが分かった。
【００６８】
なお、この発明の理解を容易にする為に、前述した第１乃至第８の実施の形態の夫々では、図１乃至図１２中に示されている如く：平面型表示パネル１２の周縁において画像表示表面１２ａが向いている方向と交差しており相互に反対の方向を向いている２つの縁１２ｂ、１２ｃの夫々に、夫々の全体に亘り連続して、或いは対応する縁１２ｂ又は１２ｃに沿った方向に少なくとも３つ以上に分割されて、支持部１２ｄが一体的に設けられ、さらにハウジング本体１４ａにおいて平面型表示パネル１２の裏面に対面する底面１４ｃに平面型表示パネル１２の２つの支持部１２ｄに対応して連続して、或いは少なくとも３つ以上に分割して第１の固定部１４ｄを設け、さらに、このような第１の固定部１４ｄと協働して対応した支持部１２ｄを支持する為にマスク１４ｂに設けられた第２の固定部１４ｇや緩衝材２２やフランジ１２ｆやアングル固定部材１４ｊを使用した場合や；上述した支持部１２ｄとともにハウジング本体１４ａの周縁において平面型表示パネル１２の２つの縁１２ｂ、１２ｃの夫々に対応して設けられた棚式固定部１４ｈを使用する場合について説明した。
【００６９】
しかしながら、この発明の趣旨に従えば以下のような変形例も可能である。
【００７０】
支持部１２ｄは、図１３中に示されている如く、平面型表示パネル１２の２つの縁１２ｂ、１２ｃの夫々の全体の長さの７０％以上に亘り連続して、或いは対応する縁１２ｂ又は１２ｃに沿った方向に少なくとも３つ以上に分割されて、設けられていることが出来る。
【００７１】
棚式固定部１４ｈやも対応する縁１２ｂ又は１２ｃに沿った方向に少なくとも３つ以上に分割されていることが出来る。
【００７２】
さらに、図１乃至図１２中に示されている前述した第１乃至第８の実施の形態の夫々と同じ構成や上述した支持部１２ｄや棚式固定部１４ｈに関する変形例を、平面型表示パネル１２の周縁において画像表示表面１２ａの向いている方向と交差しているとともに前述した２つの縁１２ｂ，１２ｃとも交差している残り２つの縁の一方又は両方及びこれら残り２つの縁の一方又は他方に対応しているハウジング本体１４ａの底面１４ｃ又は周縁の部位に設けることも当然出来る。
【００７３】
またさらに、平面型表示パネルが、画像表示表面の向いている方向と交差していて相互に反対の方向を向いている２つの縁を含む４つ以上の縁を備えた四角形以上の多角形の場合でも、前記２つの縁の夫々及び前記２つの縁以外の少なくとも１つの縁及びこれら前記２つの縁の夫々及び前記２つの縁以外の少なくとも１つの縁に対応しているハウジング本体の底面又は周縁の部位に、図１乃至図１２中に示されている前述した第１乃至第８の実施の形態の夫々と同じ構成や上述した支持部１２ｄや棚式固定部１４ｈに関する変形例を、設けることも当然出来る。
【００７４】
そして、マスク１４ｂの第２の固定部１４ｇも、ハウジング本体１４の第１の固定部１４ｄや平面型表示パネル１２の支持部１２ｄに対応して設けることが出来る。
【図面の簡単な説明】
【００７５】
【図１】この発明の第１の実施の形態に従った表示装置の概略的な斜視図である。
【図２】図１の表示装置の平面型表示パネルの概略的な斜視図である。
【図３】図１の表示装置のハウジングのハウジング本体の概略的な斜視図である。
【図４】図１の表示装置のハウジングのマスクの概略的な斜視図である。
【図５】図１の表示装置の分解斜視図である。
【図６】図１の表示装置において平面型表示パネルの２つの支持部の１つが全体に亘りハウジングのハウジング本体の２つの第１の固定部の１つ及びマスクの２つの第２の固定部の１つにより支持され固定されている状態を縦断面にして示す概略的な縦断面図である。
【図７】この発明の第２の実施の形態に従った表示装置において平面型表示パネルの２つの支持部の１つが全体に亘りハウジングのハウジング本体の２つの第１の固定部の１つ及びマスクの２つの第２の固定部の１つにより支持され固定されているとともに平面型表示パネルの２つの端面の１つが前記１つの第１の固定部及び前記１つの第２の固定部に対し緩衝部材を介して支持されている状態を縦断面にして示す概略的な縦断面図である。
【図８】この発明の第３の実施の形態に従った表示装置において平面型表示パネルの２つの支持部の１つが全体に亘り補強用のフランジを伴いハウジングのハウジング本体の２つの第１の固定部の１つ及びマスクの２つの第２の固定部の１つにより支持され固定されている状態を縦断面にして示す概略的な縦断面図である。
【図９】この発明の第４の実施の形態に従った表示装置において平面型表示パネルの２つの支持部の１つが全体に亘りハウジングのハウジング本体の２つの棚式固定部の１つにより支持され固定されている状態を縦断面にして示す概略的な縦断面図である。
【図１０】この発明の第５の実施の形態に従った表示装置において平面型表示パネルの２つの支持部の１つが全体に亘りハウジングのハウジング本体の２つの第１の固定部とそれに対応する１つのアングル部材とにより支持され固定されている状態を縦断面にして示す概略的な縦断面図である。
【図１１】この発明の第６の実施の形態に従った表示装置の概略的な分解斜視図である。
【図１２】この発明の第７の実施の形態に従った表示装置の概略的な分解斜視図である。
【図１３】この発明の種々の実施の形態の表示装置に使用される平面型表示パネルにおける画像表示面が向いている方向と交差しているとともに相互に反対の方向を向いている２つの縁の長さＬ１と２つの縁に設けられた支持部における対応する縁の延出方向における長さＬ２を示す概略的な平面図である。
【図１４】２つの縁の夫々に、夫々の延出方向における両端部に２つの支持片を有している従来の支持部を備えた従来の平面型表示パネルと従来の支持部の２つの支持片に対応して夫々が２つに分割された２つの第１の固定部を備えた従来のハウジング本体との組み合わせであって、Ｌ１に対するＬ２の比率が０．２であるものを概略的に示す斜視図である。
【図１５】図１４の従来の平面型表示パネルの画像表示表面に対し直交する方向に所定の衝撃力を負荷した場合に時間の経過とともに図１４の従来の平面型表示パネルの２つの従来の支持部に生ずる主応力の変化を有限要素法により解析した結果を示す図である。
【図１６】図１３に示されているＬ１に対するＬ２の比率を、１．０，０．８，０．６，そして０．４に設定した夫々の場合に、図１４の従来の平面型表示パネルの画像表示表面に対し直交する方向に負荷されたのと同じ所定の衝撃力を負荷した時に上記夫々の支持部に生ずる最大主応力を有限要素法により解析した結果を示す図である。
【符号の説明】
【００７６】
１０…表示装置、１２…平面型画像表示パネル、１２ａ…画像表示面、１２ｂ，１２ｃ…縁、１２ｄ…支持部、１２ｅ…位置決め／固定用孔、１２ｆ…フランジ、１４…ハウジング、１４ａ…ハウジング本体、１４ｂ…マスク、１４ｃ…底面、１４ｄ…第１の固定部、１４ｅ…位置決め／固定用孔、１４ｆ…裏面、１４ｇ…第２の固定部、１４ｈ…棚式支持部、１４ｉ…支持部受け入れ溝、１４ｊ…アングル部材、１６…位置決め／固定ねじ、２０…表示装置、２２…緩衝部材、３０…表示装置、４０…表示装置、５０…表示装置、６０…表示装置、７０…表示装置。
【図１】
2007163965.tif 000003
【図２】
2007163965.tif 000004
【図３】
2007163965.tif 000005
【図４】
2007163965.tif 000006
【図５】
2007163965.tif 000007
【図６】
2007163965.tif 000008
【図７】
2007163965.tif 000009
【図８】
2007163965.tif 000010
【図９】
2007163965.tif 000011
【図１０】
2007163965.tif 000012
【図１１】
2007163965.tif 000013
【図１２】
2007163965.tif 000014
【図１３】
2007163965.tif 000015
【図１４】
2007163965.tif 000016
【図１５】
2007163965.tif 000017
【図１６】
2007163965.tif 000018